(57)【要約】      （修正有）【課題】バイザーの取外し又は取付け作業を容易にするヘルメットを提供する。【解決手段】バイザーのロック機構８は、前方側に窓孔を有するヘルメットの外側シェルの内側に設けられ、外側シェルに回動可能に取り付けられた左右一対のホルダー５４に取り付けられ、少なくとも窓孔の一部を閉塞または開放できるバイザー５を備えたヘルメットに適用される。操作レバー及び係止突起を有するロック部材がホルダー５４の近くに配置されている。操作レバーによって、係止突起とホルダー５４に設けられた係止凹部とが、嵌合または離脱することによって、バイザー５が固定または開放される。【選択図】図４Ａ
2020128609.tif 000002
【特許請求の範囲】
【請求項１】
前方側に窓孔を有するヘルメットの外側シェルの内側に設けられ、前記外側シェルに回動可能に取り付けられた左右一対のホルダーに取り付けられ、少なくとも窓孔の一部を閉塞または開放できるバイザーを備えたヘルメットに適用され、
操作部及び係止部を有するロック部材が少なくとも１つの前記ホルダーの近くに配置され、前記操作部によって、前記係止部と前記ホルダーに設けられた被係止部とが、嵌合または離脱することによって、前記バイザーが固定または開放されることを特徴とするバイザーのロック機構。
【請求項２】
前記ロック部材は、回転軸に軸支される円板状に形成された軸支部と、軸支部から径方向外側へ向けて突出すると共に軸方向から見て軸支部の回転中心を中心とする扇状に形成された扇板部と、を備えており、
前記操作部が、前記扇板部の周方向一方側の端部から径方向外側へ向けて突出し、
前記係止部が、前記扇板部の周方向他方側の端部から周方向他方側へ向けて突出している請求項１記載のバイザーのロック機構。
【請求項３】
前記窓孔の前方側において該窓孔を開閉するシールド板の内側において、前記操作部が前記窓孔から突出している請求項１又は請求項２記載のバイザーのロック機構。
【請求項４】
前方側に窓孔を有する外側シェルと、
前記外側シェルの内側に設けられ、前記外側シェルに回動可能に取り付けられた左右一対のホルダーに取り付けられ、少なくとも窓孔の一部を閉塞または開放できるバイザーと、
前記外側シェルにおいて少なくとも左右の一方側に設けられた請求項１〜請求項３のいずれか１項に記載のバイザーのロック機構と、
を備えたヘルメット。
【発明の詳細な説明】
【技術分野】
【０００１】
本発明は、バイザーのロック機構及びヘルメットに関するものである。特に、その前面に形成された窓孔を有するヘルメットと、窓孔を少なくとも部分的に開閉するために、ヘルメットに対して上下回動することができるようにヘルメットに取り付けられたバイザーのロック機構であって、バイザー保持具に設けられたフックと、操作レバーに繋がるラッチが嵌合することにより、バイザーの回動を制止し、固定するバイザーのロック機構及びヘルメットに関するものである。
【背景技術】
【０００２】
下記特許文献１には、バイザーを有するヘルメットが開示されている。この文献に記載されたヘルメットでは、バイザーの両端部を左右のホルダーで保持している。また、可動用ワイヤの一端をホルダーに、そして、もう一方の端をスライド式ノブに接続させることで、ノブをスライドさせることによって、ホルダーを固定されたレールに沿って回動させるようになっている。
【先行技術文献】
【特許文献】
【０００３】
【特許文献１】特開２０１３−２８８７２号公報
【発明の概要】
【発明が解決しようとする課題】
【０００４】
しかし、上記特許文献１に記載された構成では、ワイヤの伸縮が自由であるので、ノブを操作しなくとも、バイザーを手で持って動かすことができる。このため、バイザーを取外す際又は取付ける際に、ホルダーを所定の位置（バイザーを下げた状態）に留めようとしても、ホルダーが意図せずに動くので、バイザーの取外し又は取付け作業が難しかった。
【０００５】
本発明は上記事実を考慮し、バイザーの取外し又は取付け作業を容易にすることができるバイザーのロック機構及びヘルメットを得ることが目的である。
【課題を解決するための手段】
【０００６】
本発明のバイザーのロック機構は、前方側に窓孔を有するヘルメットの外側シェルの内側に設けられ、前記外側シェルに回動可能に取り付けられた左右一対のホルダーに取り付けられ、少なくとも窓孔の一部を閉塞または開放できるバイザーを備えたヘルメットに適用され、操作部及び係止部を有するロック部材が前記ホルダーの近くに配置され、前記操作部によって、前記係止部と前記ホルダーに設けられた被係止部とが、嵌合または離脱することによって、前記バイザーが固定または開放されることを特徴とする。
【０００７】
本発明のヘルメットは、前方側に窓孔を有する外側シェルと、前記外側シェルの内側に設けられ、前記外側シェルに回動可能に取り付けられた左右一対のホルダーに取り付けられ、少なくとも窓孔の一部を閉塞または開放できるバイザーと、前記外側シェルにおいて少なくとも左右の一方側に設けられた前記バイザーのロック機構と、を備えている。
【発明の効果】
【０００８】
本発明に係るバイザーのロック機構及びヘルメットは、バイザーの取外し又は取付け作業を容易にすることができる、という優れた効果を有する。
【図面の簡単な説明】
【０００９】
【図１】本発明のバイザーのロック機構を備えたヘルメットを示す斜視図であり、バイザーが下降している状態を示している。
【図２】図１に示されたヘルメットの側面図であり、操作レバーを上げて、ホルダーを固定した状態を示している。
【図３】図１に示されたヘルメットの側面図であり、操作レバーを下げて、ホルダーを開放し、そして、バイザーを上げた状態を示している。
【図４Ａ】ホルダーの回動がロック部材によって規制されている状態を示す側面図である。
【図４Ｂ】図４Ａに示された４Ｂ線によって囲まれた部分を拡大して示す拡大側面図である。
【図５Ａ】ホルダーの回動がロック部材によって規制されていない状態を示す側面図である。
【図５Ｂ】図５Ａに示された５Ｂ線によって囲まれた部分を拡大して示す拡大側面図である。
【図６】操作レバーに代えて凸凹状の操作部が設けられた構成を示す図４Ｂに対応する拡大側面図である。
【図７】操作レバーに代えて凸凹状の操作部が設けられた構成を示す図５Ｂに対応する拡大側面図である。
【発明を実施するための形態】
【００１０】
次に、本発明のバイザーのロック機構をフルフェイス型のヘルメットに適用した一実施例を、「１、ヘルメット全体の概略的構成」、「２、バイザーのロック機構の構成」に分け、図面を参照しつつ説明する。
【００１１】
1、ヘルメット全体の概略的構成
図１〜図３に示されるように、フルフェイス型のヘルメット１は、当該ヘルメット１の外周壁を構成している外側シェル２１と、自動二輪車のライダ―などのヘルメット１の装着者の額部とアゴ部との間（即ち、顔面のほぼ中央部分）に対向するように形成された窓孔３と、を備えている。また、ヘルメット１は、窓孔３の全周囲に取り付けられた縁部材（図示せず）と、窓孔３のほぼ全部を、この窓孔３の外側から開閉できるシールド板４と、を備えている。さらに、ヘルメット１は、当該ヘルメット１の装着者の額部（具体的には、額の上下方向におけるほぼ中間の部分）と鼻部（具体的には、鼻の上下方向におけるほぼ中間の部分）との間に対向している窓孔３の上側のほぼ半分を、この窓孔３の内側から開閉できるバイザー５と、バイザー５を固定するためのロック機構８と、を備えている。
【００１２】
シールド板４は、周知のように、ポリカーボネイト、その他の硬質合成樹脂などの可撓性を有する透明または半透明な材料から作られている。シールド板４は、ヘルメット１の左右両側において軸支手段としての左右一対の取り付け軸部６によってヘルメット１の外側シェル２１に往復回動可能に取り付けられている。そして、このシールド板４は、その復動位置（すなわち、下降位置）において窓孔３を閉塞し、その往動位置（すなわち、上昇位置）において窓孔３を開放する。
【００１３】
図１〜図５Ｂに示されるように、バイザー５は、周知のように、ポリカーボネイト、その他の硬質合成樹脂などの遮光機能と可撓性を有する半透明な硬質材料から作られている。バイザー５は、外側シェル２１の内側に設けられ、ヘルメット１の左右両側において軸支手段としての左右一対の取り付け軸部７に往復回動可能に取り付けられた左右一対のホルダー５４に挟み込まれるように保持されている。また、左右一対の取り付け軸部７は、ヘルメット１の外側シェル２１に取り付けられている。そして、バイザー５は、ホルダー５４の復動位置（すなわち、下降位置）においてヘルメット１の着用者の額部から鼻部にかけての部分と対向して配置される。また、バイザー５は、ホルダー５４の往動位置（すなわち、上昇位置）においてその下縁が窓孔３の上縁よりも上方側に配置されて窓孔３が開放する。
【００１４】
２、バイザーのロック機構の構成
図４Ａ及び図４Ｂ並びに図５Ａ及び図５Ｂに示されるように、バイザーのロック機構８は、外側シェル２１（図１等参照）において少なくとも左右の一方側に設けられている。このバイザーのロック機構８は、ホルダー５４の近くに設置されたロック部材８０と、ロック部材８０を回転可能に支持する回転軸８２と、ホルダー５４に設けられた被係止部としての係止凹部８３と、を含んで構成されている。
【００１５】
ロック部材８０は、回転軸８２に軸支される円板状に形成された軸支部８４を備えている。なお、以下の説明で「軸方向」「径方向」「周方向」の各方向を示して説明する場合、軸支部８４の「回転軸方向」「回転径方向」「回転周方向」をそれぞれ示すものとする。また、「回転径方向の外側」を矢印Ｒで示し、「回転周方向の一方側」を矢印Ｃで示す。
【００１６】
ロック部材８０は、軸支部８４から径方向外側へ向けて突出すると共に軸方向から見て軸支部８４の回転中心を中心とする扇状に形成された扇板部８５を備えている。また、ロック部材８０は、扇板部８５の周方向一方側の端部から径方向外側へ向けて突出する操作部としての操作レバー８１を備えている。さらに、ロック部材８０は、扇板部８５の周方向他方側の端部から周方向他方側へ向けて突出する係止部としての係止突起８６を備えている。
【００１７】
ロック部材８０は、シールド板４（図１等参照）の内側においてヘルメット１の外側シェル２１（図１等参照）に回転軸８２を介して取り付けられている。また、ロック部材８０が外側シェル２１に取り付けられた状態では、窓孔３（図１等参照）から操作レバー８１が突出している。この操作レバー８１は、ヘルメット１の着用者の視界から遠く、また、シールド板４の内側であるため、意図せずに操作されることはない。このように、操作レバー８１は、容易に操作可能となっている。また、操作レバー８１は、ヘルメット１の着用者の視界を妨げないようになっており、操作レバー８１によってヘルメット１の安全性が損なわれないようになっている。
【００１８】
ホルダー５４に設けられた係止凹部８３は、凹状の窪み部であり、ホルダー５４が復動位置（すなわち、下降位置）に位置している状態でロック部材８０の係止突起８６と対向して配置される。
【００１９】
そして、図４Ａ及び図４Ｂに示されるように、操作レバー８１が操作されることで、ロック部材８０が周方向他方側へ回動すると、ロック部材８０の係止突起８６が係止凹部８３に嵌まり込む。これにより、ホルダー５４の回動がロック部材８０によって規制されて、バイザー５の変位が制限される。この状態では、バイザー５が意図に反して変位しないため、バイザー５のホルダー５４からの取外し又はホルダー５４への取付け作業を容易にすることができる。また、ホルダー５４の回動がロック部材８０によって規制されている状態では、バイザー５のホルダー５４からの取外し又はホルダー５４への取付け作業時に、バイザー５に入力された力がロック部材８０によって受け止められる。すなわち、バイザー５に入力された力がホルダー５４を回動（昇降）させる機構に入力されることが防止又は抑制される。これにより、バイザー５のホルダー５４からの取外し又はホルダー５４への取付け作業時に、ホルダー５４を回動（昇降）させる機構が破損することを防止又は抑制することができる。
【００２０】
また、本実施形態では、操作レバー８１に力を加えると、梃子の原理により、増幅された力が係止突起８６へ伝達される。これにより、係止突起８６を係止凹部８３に容易に嵌まり込ませることができる。なお、操作レバー８１に代えて、図６及び図７に示されるように、凸凹状の操作部８７としてもよい。
【００２１】
また、図５Ａ及び図５Ｂに示されるように、操作レバー８１が操作されることで、ロック部材８０が周方向一方側へ回動すると、ロック部材８０の係止突起８６が係止凹部８３から離脱する（抜け出す）。これにより、ホルダー５４の回動が許容されて、バイザー５の変位が許容される。
【００２２】
以上、本発明の一実施形態について説明したが、本発明は、上記に限定されるものでなく、その主旨を逸脱しない範囲内において上記以外にも種々変形して実施することが可能であることは勿論である。
【００２３】
例えば、上述の実施例においては、フルフェイス型ヘルメットに本発明を適用したが、アゴ部が上昇可能なフリップアップ型ヘルメット、アゴ部の無いオープンフェイス型ヘルメットなどにも、本発明を適用することができる。
【００２４】
また、本発明のバイザーのロック機構は、ヘルメットの左右のいずれか片側にあってもよく、または、両側にあってもよい。
【００２５】
また、本実施形態では、可動ワイヤ式のバイザーを例として、本発明を適用した例について説明したが、本発明はこれに限定されない。ホルダーのように、バイザーを保持して、一緒に回動する部品が存在するならば、本発明のバイザーのロック機構を適用できる。例えば、バイザーを保持するホルダーが、溝またはレールに沿ってスライドする場合、または、継手や歯車によって回動する場合にも適用できる。また、本発明によれば、比較的少ない部品点数によるロック機構を構成できる。
【符号の説明】
【００２６】
１     ヘルメット
３     窓孔
４     シールド板
５     バイザー
６     取り付け軸部
７     取り付け軸部
８     ロック機構
２１   外側シェル
５４   ホルダー
８０   ロック部材
８１   操作レバー（操作部）
８２   回転軸
８３   係止凹部（被係止部）
８４   軸支部
８５   扇板部
８６   係止突起（係止部）
８７   操作部
【図１】
2020128609.tif 000003
【図２】
2020128609.tif 000004
【図３】
2020128609.tif 000005
【図４Ａ】
2020128609.tif 000006
【図４Ｂ】
2020128609.tif 000007
【図５Ａ】
2020128609.tif 000008
【図５Ｂ】
2020128609.tif 000009
【図６】
2020128609.tif 000010
【図７】
2020128609.tif 000011